【事件の表示】
　特願２０１４−２４２２６４「電子装置へのアクセスを制御するマン・マシン・インターフェース」拒絶査定不服審判事件〔平成２７年　４月３０日出願公開、特開２０１５−　８４２３６、請求項の数（１１）〕について、次のとおり審決する。
【結　論】
　原査定を取り消す。
　本願の発明は、特許すべきものとする。
【理　由】
第１　手続の経緯
　本願は，２００４年６月１日（パリ条約による優先権主張外国庁受理２００３年５月３０日，米国）を国際出願日とする出願である特願２００６−５３３５４７号の一部を平成２５年７月１１日に新たな特許出願とした特願２０１３−１４５７９５号の一部を平成２６年１１月２８日に新たな特許出願としたものであって，平成２７年７月１３日付けで拒絶理由通知がされ，平成２７年１１月１３日に意見書と手続補正書が提出され，平成２８年４月２８日付けで拒絶理由通知（最後）がされ，平成２８年１０月１１日に意見書と手続補正書が提出されたが，平成２９年２月２０日付けで拒絶査定（原査定）がされ，これに対し，平成２９年６月２３日に拒絶査定不服審判の請求がされたものである。
　
第２　原査定の概要
　原査定（平成２９年２月２０日付け拒絶査定）の概要は次のとおりである。
　
　本願請求項１−１１に係る発明は，以下の引用文献１−４に基づいて，その発明の属する技術の分野における通常の知識を有する者（以下，「当業者」という。）が容易に発明できたものであるから，特許法第２９条第２項の規定により特許を受けることができない。
　
引用文献等一覧
１．特開２０００−２９３２５３号公報
２．特開平１０−０１１２１６号公報（周知技術を示す文献）
３．特開２００２−３５８１６２号公報（周知技術を示す文献）
４．特開平０７−２３４８３７号公報
　
第３　本願発明
　本願請求項１−１１に係る発明（以下，それぞれ「本願発明１」−「本願発明１１」という。）は，平成２８年１０月１１日に提出された手続補正書による手続補正で補正された特許請求の範囲の請求項１−１１に記載された事項により特定される発明であり，本願発明１−１１は以下のとおりの発明である。
　
「　【請求項１】
　コンピュータに方法を実行させるプログラムであって，前記方法は，
　タッチスクリーンの位置において第１のユーザからアイコン選択入力を受信するステップであって，前記タッチスクリーンの前記位置はアイコンに関連付けられており，前記アイコンは機能に関連付けられており，前記タッチスクリーンは前記タッチスクリーン上の様々な位置に配置される複数のアイコンを表示する，ステップと，
　前記アイコンと前記第１のユーザの生体計測テンプレートとに基づいて，前記アイコンと前記第１のユーザの前記生体計測テンプレートとに関連付けられたセキュリティ特権を検索するステップであって，前記第１のユーザの前記生体計測テンプレートは前記第１のユーザの生体計測入力に関連付けられている，ステップと，
　前記アイコンと前記第１のユーザの前記生体計測テンプレートとに関連付けられた前記セキュリティ特権が発見された場合，前記アイコンに関連付けられた前記機能へのアクセスを許可するステップと，
　前記タッチスクリーンの前記位置において第２のユーザからアイコン選択入力を受信するステップと，
　前記アイコンと前記第２のユーザの生体計測テンプレートとに基づいて，前記アイコンと前記第２のユーザの前記生体計測テンプレートとに関連付けられたセキュリティ特権を検索するステップであって，前記第２のユーザの前記生体計測テンプレートは前記第２のユーザの生体計測入力に関連付けられている，ステップと，
　前記アイコンと前記第２のユーザの前記生体計測テンプレートとに関連付けられた前記セキュリティ特権が発見されなかった場合，前記アイコンに関連付けられた前記機能へのアクセスを禁止するステップと，
　を備えることを特徴とするプログラム。
　　【請求項２】
　前記方法は，
　前記アイコンに関連付けられた前記機能がユーザ認証を要求しない場合，前記アイコンに関連付けられた前記機能へのアクセスを許可するステップ
　を更に備えることを特徴とする請求項１に記載のプログラム。
　　【請求項３】
　前記方法は，
　前記アイコンと前記第１のユーザの前記生体計測テンプレートとに関連付けられた前記セキュリティ特権が検索される前に，前記第１のユーザからの前記アイコン選択入力に基づいて前記アイコンを判定するステップ
　を更に備えることを特徴とする請求項１に記載のプログラム。
　　【請求項４】
　前記アイコンと前記第１のユーザの前記生体計測テンプレートとに関連付けられた前記セキュリティ特権は，複数のセキュリティ特権のうちの１つであり，前記複数のセキュリティ特権からの各セキュリティ特権は，機能に関連付けられたアイコンとユーザの生体計測テンプレートとに基づいている
　ことを特徴とする請求項１に記載のプログラム。
　　【請求項５】
　前記方法は，
　前記機能へのアクセスが前記第１のユーザに許可される前に，前記アイコンと前記第１のユーザの前記生体計測テンプレートとに関連付けられた前記セキュリティ特権が発見されなかった場合，前記第１のユーザによる前記機能へのアクセスを禁止するステップ
　を更に備えることを特徴とする請求項１に記載のプログラム。
　　【請求項６】
　装置であって，
　複数の生体計測テンプレートを格納するように構成されたメモリであって，前記複数の生体計測テンプレートからの各生体計測テンプレートが，複数のセキュリティ特権のうちの１つに関連付けられ，前記複数のセキュリティ特権からの各セキュリティ特権が，複数の機能のうちの１つに関連付けられる，メモリと，
　タッチスクリーン内の位置におけるアイコン選択入力を受信するように構成され，前記タッチスクリーン上の様々な位置に配置される複数のアイコンを表示するように構成されたタッチスクリーンであって，前記複数のアイコンからの各アイコンは前記複数の機能のうちの１つに関連付けられている，タッチスクリーンと，
　前記メモリに結合され，前記タッチスクリーンに動作可能なように結合され，前記複数のアイコンからのアイコンに関連付けられた機能へのアクセスを，前記アイコン選択入力が前記タッチスクリーン内の前記位置において受信された場合であって，そのアイコンと生体計測入力に関連付けられた前記複数の生体計測テンプレートからの生体計測テンプレートとに関するセキュリティ特権が前記メモリに格納されている場合に，許可するように構成された，プロセッサと，
　を備えることを特徴とする装置。
　　【請求項７】
　前記プロセッサは，前記アイコンと前記生体計測テンプレートとに関する前記セキュリティ特権を，前記アイコンと前記生体計測テンプレートとに基づいて判定するように構成される
　ことを特徴とする請求項６に記載の装置。
　　【請求項８】
　前記プロセッサは，前記タッチスクリーン内の前記位置が，いかなるセキュリティ特権からも独立している場合，前記機能へのアクセスを許可するように構成される
　ことを特徴とする請求項６に記載の装置。
　　【請求項９】
　前記アイコン選択入力は第１のアイコン選択入力であり，前記生体計測入力は第１のユーザの生体計測入力であり，
　前記プロセッサは，前記アイコンに関連付けられた前記機能へのアクセスを，第２のアイコン選択入力が前記タッチスクリーン内の前記位置において受信された場合であって，前記アイコンと第２のユーザの生体計測入力に関連付けられた前記複数の生体計測テンプレートからの生体計測テンプレートとに関する前記セキュリティ特権が前記メモリに格納されていない場合に，禁止するように構成される
　ことを特徴とする請求項６に記載の装置。
　　【請求項１０】
　方法であって，
　タッチスクリーンの位置において第１のユーザからアイコン選択入力を受信するステップであって，前記タッチスクリーンの前記位置はアイコンに関連付けられており，前記アイコンは機能に関連付けられており，前記タッチスクリーンは前記タッチスクリーン上の様々な位置に配置される複数のアイコンを表示する，ステップと，
　前記アイコンと前記第１のユーザの生体計測テンプレートとに基づいて，前記アイコンと前記第１のユーザの前記生体計測テンプレートとに関連付けられたセキュリティ特権を検索するステップであって，前記第１のユーザの前記生体計測テンプレートは前記第１のユーザの生体計測入力に関連付けられている，ステップと，
　前記アイコンと前記第１のユーザの前記生体計測テンプレートとに関連付けられた前記セキュリティ特権が発見された場合，前記アイコンに関連付けられた前記機能へのアクセスを許可するステップと，
　前記タッチスクリーンの前記位置において第２のユーザからアイコン選択入力を受信するステップと，
　前記アイコンと前記第２のユーザの生体計測テンプレートとに基づいて，前記アイコンと前記第２のユーザの前記生体計測テンプレートとに関連付けられたセキュリティ特権を検索するステップであって，前記第２のユーザの前記生体計測テンプレートは前記第２のユーザの生体計測入力に関連付けられている，ステップと，
　前記アイコンと前記第２のユーザの前記生体計測テンプレートとに関連付けられた前記セキュリティ特権が発見されなかった場合，前記アイコンに関連付けられた前記機能へのアクセスを禁止するステップと，
　を備えることを特徴とする方法。
　　【請求項１１】
　前記アイコンと前記第１のユーザの前記生体計測テンプレートとに関連付けられた前記セキュリティ特権は，複数のセキュリティ特権のうちの１つであり，前記複数のセキュリティ特権からの各セキュリティ特権は，機能に関連付けられたアイコンとユーザの生体計測テンプレートとに基づいている
　ことを特徴とする請求項１０に記載の方法。」
　
第４　引用文献，引用発明等
１．引用文献１について
　原査定の拒絶の理由に引用された上記引用文献１には，「情報処理装置」（発明の名称）に関し，図面とともに次の事項が記載されている。なお，下線は重要箇所に対して当審が付与した。
　
ア「【００４０】
【発明の実施の形態】図１は，本発明の実施の一形態である情報処理装置３１のブロック図である。指紋認証機能を備える情報処理装置３１の中央処理部３２には，表示・指紋読取部３４の指紋読取動作を制御する指紋データセンシング制御部３３，指紋センシングエリア設定部３５，表示・指紋読取部３４の表示動作を制御する表示制御部３６，キーボードなどのキー入力部３７，不揮発性メモリで実現される記憶部３８，ネットワークとの接続やプリンタなどの周辺機器との接続のための入出力部３９および記憶部４０が接続され，装置全体の動作を統括的に制御する。
【００４１】表示・指紋読取部３４において，たとえば液晶表示装置で実現される表示部の直交座標が設定された表示面と，公知の技術によって実現される指紋読取部の指が接触される指紋読取面とは同一である。具体的には，液晶表示装置のすべての画素にデータ読取りのためのセンサが設けられる。該センサは液晶表示装置のすべての画素に設ける必要はなく，一部の画素だけに設けても構わない。このようにして，図２に示される表示・データ読取画面５９を有する表示・指紋読取部３４によって，画面５９の上の座標データと指紋データとが取得される。中央処理部３２は，取得された座標データに基づいて情報処理装置３１の動作を制御し，また取得された指紋データに基づいて装置３１の動作を制御する。
【００４２】なお，表示・指紋読取部３４として，たとえば本願出願人による特願平１１−１２２３１号に記載した画像読取装置であって，液晶層内部に受光素子を埋込んで指紋データを読取る画像読取装置を採用しても構わない。情報処理装置３１では，指紋読取手段，表示手段および座標指定手段が表示・指紋読取部３４によって実現される。
【００４３】指紋データセンシング制御部３３の座標位置・指紋データ記憶部５８には，表示・指紋読取部３４で取得された座標データと指紋データとが一時記憶される。これらの記憶データは記憶部４０に転送される。表示・指紋読取部３４には，表示制御部３６から表示データが与えられる。また，表示・指紋読取部３４の表示動作と指紋読取動作とのタイミングの制御は，中央処理部３２によって行われる。
【００４４】指紋センシングエリア設定部３５は，画面５９中に指紋読取領域６０を設定する。該領域６０は，たとえば入力ペンなどの指示手段によって指定された２点の座標を向かい合った頂点とする矩形領域である。キー入力部３７からは，必要に応じて指紋データに対する付加データなどが入力される。
【００４５】記憶部３８には予め登録されたユーザ登録データが記憶されており，必要に応じて中央処理部３２によって読出され，記憶部４０に転送され格納される。なお，アプリケーションプログラムも同様に記憶部３８に記憶され，必要に応じて中央処理部３２が読出し，記憶部４０に転送し格納されるが，記憶部４０に記憶しておいても構わない。
【００４６】記憶部４０は，指紋認証部４２，ユーザの登録データの読出し・格納部４５およびアプリケーションプログラム格納部４８で構成されるプログラム・ワークメモリ４１を備える。指紋認証部４２は，指紋データの特徴データを抽出する特徴抽出部４３と，抽出された特徴データを照合する照合部４４とを有する。ユーザの登録データの読出し・格納部４５は，ユーザ登録データを読出すデータ読出部４６と，読出されたユーザ登録データを格納するデータ格納部４７とを有する。」
　
イ　「【００４７】図３は，記憶部３８のユーザ登録データを示す図である。ユーザ登録データは，ユーザ毎の，基本データ部６１と関連データ部６２とで構成される。基本データ部６１は，ユーザの氏名データ格納部６３，指紋データの格納部６４および役職・代理決済者データの格納部６５で構成される。前記指紋データの格納部６４には，左手各指の指紋データ６４ａと右手各指の指紋データ６４ｂとがそれぞれ格納される。関連データ部６２は，操作環境データの格納部６６，利用機能の制限データの格納部６７，各指のショートカットデータの格納部６８，権限データの格納部６９および起動アプリケーションの設定データの格納部７０で構成される。前記権限データの格納部６９には，機器設定変更レベル６９ａ，ネットワーク接続変更レベル６９ｂおよびその他のデータ６９ｃがそれぞれ格納される。
【００４８】操作環境とは情報処理装置３１の動作条件に相当し，たとえば操作案内を行うヘルプ情報などの特定情報の表示／非表示，スクリーンキーなどの特定キーのオン／オフ，表示される文字の大きさなどを規定するデータである。利用機能の制限データも動作条件に相当し，たとえば接続されるＣＤ（コンパクトディスク）−ＲＯＭ（リードオンリメモリ）からのデータ読出しの可／不可，ＳＩＯ（ファイル転送プロトコル）の利用の可／不可などを規定するデータである。各指のショートカットデータはユーザの各指毎に予め設定されたコマンドに相当し，たとえばスケジュールの登録機能の実行を指定するコマンドである。権限データとは，機器設定変更レベルやネットワーク接続変更レベルなどを規定するデータである。起動アプリケーションとは，決済承認願に捺印されたときに実行される注文書発行のアプリケーションや報告書に捺印されたときに実行されるネットワーク接続のアプリケーションである。」
　
ウ「【００８１】図１５は，情報処理装置３１の第８動作を示すフローチャートである。
ステップａ８１では，表示・指紋読取部３４の表示・データ読取画面５９に図１６に示されるようなメニューの指定を促す画面７９が設定され表示される。ここで，メニューはマシン設定およびネットワーク接続の２つであり，前記画面７９には２つのメニュー指定領域８０ａ，８０ｂが設定されている。なお，該メニュー指定領域８０ａ，８０ｂは指紋入力領域でもある。また，記憶部３８に記憶された指紋データが読出され記憶部４０に格納される。
【００８２】
メニュー指定を促す前記画面７９のメニュー指定領域８０ａ，８０ｂは，
複数の領域Ａ〜Ｊに区分されている。領域８０ａ，８０ｂの中のどの領域Ａ〜Ｊに指紋入力がなされたかによって，メニュー実行時の権限レベルが指定される。
【００８３】
次のステップａ８２では，画面７９への指の接触による指紋の入力操作があったか否かを中央処理部３２が判断する。指が接触されて，指紋の入力操作があったと判断すると，次のステップａ８３に進む。
【００８４】
ステップａ８３では，指紋データセンシング制御部３３は表示・指紋読取部３４から指紋データと指が接触された位置の座標データとを読出し，記憶部５８に一時記憶し，記憶部４０に転送する。次のステップａ８４では，指紋データを照合し認証して，一致しているか否かを判断する。一致しているときにはステップａ８５に進み，一致していないときにはステップａ９０に進んで，エラー表示を行って動作を終了する。
【００８５】
ステップａ８５では，一致した指紋のユーザに対応する権限データを記憶部３８から読出し，記憶部４０に格納する。次のステップａ８６では，指紋入力がどの領域Ａ〜Ｅ内になされたかを判断する。領域Ａのときにはステップａ８７に，領域ＢまたはＤのときにはステップａ８８に，領域ＣまたはＥのときにはステップａ８９にそれぞれ進み，読出され格納された権限データのレベルであって，各領域Ａ〜Ｅで指定される権限レベルでマシン設定のメニューを実行するようにして動作を終了し，これ以外のときにはそのまま動作を終了する。
【００８６】なお，ステップａ９０のエラー表示は必要に応じて行えばよく，ステップａ８４で指紋データが一致しないときには直ちに動作を終了しても構わない。」
　
　
エ　【図１５】に記載されたフローチャートによれば，
　「権限データは３段階のレベルである」こと，及び，
　「ステップａ８７では，登録ユーザーのパスワード設定等の基本動作に影響がでないレベルの設定を行い，権限データのレベルにより設定可能な内容を変え，
　ステップａ８８では，日時の設定等の他ユーザーに多少影響のでるレベルの設定を行い，権限データのレベルにより設定可能な内容を変え，最下位レベルの者は設定不可であり，
　ステップａ８９では，機器の基本性能の設定やネットワーク設定等の他ユーザーに与える影響が大きい物の設定を行い，権限データレベル最上位の者のみ設定可能である」こと，
　が記載されている。
　
　上記摘記事項，図面の記載及びこの分野における技術常識を勘案すると，上記引用文献１には，特に，「情報処理装置」の「第８動作」に関する次の発明（以下，「引用発明」という。）が記載されていると認める。
　
「ステップａ８１では，表示・指紋読取部３４の表示・データ読取画面５９にメニューの指定を促す画面７９が設定され表示され，ここで，メニューはマシン設定およびネットワーク接続の２つであり，前記画面７９には２つのメニュー指定領域８０ａ，８０ｂが設定されており，該メニュー指定領域８０ａ，８０ｂは指紋入力領域でもあり，また，記憶部３８に記憶された指紋データが読出され記憶部４０に格納され，
　メニュー指定を促す前記画面７９のメニュー指定領域８０ａ，８０ｂは，複数の領域Ａ〜Ｊに区分されており，領域８０ａ，８０ｂの中のどの領域Ａ〜Ｊに指紋入力がなされたかによって，メニュー実行時の権限レベルが指定されるものであり，
　次のステップａ８２では，画面７９への指の接触による指紋の入力操作があったか否かを中央処理部３２が判断し，指が接触されて，指紋の入力操作があったと判断すると，次のステップａ８３に進み，
　ステップａ８３では，指紋データセンシング制御部３３は表示・指紋読取部３４から指紋データと指が接触された位置の座標データとを読出し，記憶部５８に一時記憶し，記憶部４０に転送し，
　次のステップａ８４では，指紋データを照合し認証して，一致しているか否かを判断し，一致しているときにはステップａ８５に進み，一致していないときにはステップａ９０に進んで，エラー表示を行って動作を終了し，
　ステップａ８５では，一致した指紋のユーザに対応する権限データを記憶部３８から読出し，記憶部４０に格納し，該権限データは３段階のレベルであり，
　次のステップａ８６では，指紋入力がどの領域Ａ〜Ｅ内になされたかを判断し，領域Ａのときにはステップａ８７に，領域ＢまたはＤのときにはステップａ８８に，領域ＣまたはＥのときにはステップａ８９にそれぞれ進み，読出され格納された権限データのレベルであって，各領域Ａ〜Ｅで指定される権限レベルでマシン設定のメニューを実行するようにして動作を終了し，これ以外のときにはそのまま動作を終了し，
　上記ステップａ８７では，登録ユーザーのパスワード設定等の基本動作に影響がでないレベルの設定を行い，権限データのレベルにより設定可能な内容を変え，
　上記ステップａ８８では，日時の設定等の他ユーザーに多少影響のでるレベルの設定を行い，権限データのレベルにより設定可能な内容を変え，最下位レベルの者は設定不可であり，
　上記ステップａ８９では，機器の基本性能の設定やネットワーク設定等の他ユーザーに与える影響が大きい物の設定を行い，権限データレベル最上位の者のみ設定可能である，
　情報処理装置による方法。」
　
２．引用文献２，３について
　引用文献２（【００１７】，図１）や，引用文献３（【００２２】，図１（ｂ））に記載されているように，
　「メニューをアイコンで表示すること」（以下，「周知技術」という。）
　は周知である。
　
３．引用文献４について
　引用文献４（【００１７】−【００１９】）には，
　「指紋のイメージの認識の前に，選択されたオブジェクトを識別すること」（以下，「引用文献４記載技術」という。）
　が記載されている。
　
第５　対比・判断
１．本願発明１０について
（１）対比・検討
　本願発明１０と引用発明とを対比すると，次のことがいえる。
　
ａ．引用発明の「表示・データ読取画面５９に」「設定され表示され」る「メニューの指定を促す画面７９」は，本願発明１０の「タッチスクリーン」に相当する。
ｂ．引用発明の「権限データレベル最上位の者」は本願発明１０の「第１のユーザ」に相当し，引用発明の「権限データのレベル」が「最下位レベルの者」は本願発明１０の「第２のユーザ」に相当する。
ｃ．引用発明の「領域ＣまたはＥ」に関し，これらの領域は明らかに「メニューの指定を促す画面７９」の特定の「位置」に関連付けられており，かつ，「機器の基本性能の設定やネットワーク設定等の他ユーザーに与える影響が大きい物の設定を行」う「機能」と関連付けられているものである。
　一方，本願発明１０の「アイコン」に関し，「前記タッチスクリーンの前記位置はアイコンに関連付けられており，前記アイコンは機能に関連付けられて」いるものである。
　したがって，引用発明の「領域ＣまたはＥ」は本願発明１０の「アイコン」に対応するものであるといえる。
　そこで，両者を対比するに，引用発明の「領域ＣまたはＥ」は「指紋入力領域」であり，本願発明１０の「アイコン」はユーザーが「生体計測入力」を行う「位置」であるところ，両者はいずれも「生体計測入力領域」といえる点で共通する。
　その一方で，本願発明１０では「前記タッチスクリーンは前記タッチスクリーン上の様々な位置に配置される複数のアイコンを表示する」のに対し，引用発明では「ステップａ８１では，表示・指紋読取部３４の表示・データ読取画面５９に図１６に示されるようなメニューの指定を促す画面７９が設定され表示される。」（【００８１】），「メニュー指定を促す前記画面７９のメニュー指定領域８０ａ，８０ｂは，具体的に図１７に示されるように複数の領域Ａ〜Ｊに区分されている。」（【００８２】）等の記載によると，「メニュー指定領域８０ａ」はメニューの指定を促す画面７９に表示されるものの，それを区分した「領域ＣまたはＥ」は「メニューの指定を促す画面７９」上に明示的に表示されるものではないと認められる点で相違する。
ｄ．引用発明の「（記憶部３８に記憶された）指紋データ」は，本願発明１０の「生体計測テンプレート」に相当する。
ｅ．引用発明の「権限データ」は，そのレベルに応じて重要度レベルが異なる内容のマシン設定を行うことを許可するデータであるから，本願発明１０の「セキュリティ特権」に相当するといえる。
　また，引用発明の「権限データ」は「領域ＣまたはＥ」と「指紋データ」に関連付けられたものといえる。
　
　以上を総合勘案し，技術常識も参酌すれば，本願発明１０と引用発明との間には，次の一致点，相違点があるといえる。
　
（一致点）
「　方法であって，
　タッチスクリーンの位置において第１のユーザから生体計測入力領域選択入力を受信するステップであって，前記タッチスクリーンの前記位置は生体計測入力領域に関連付けられており，前記生体計測入力領域は機能に関連付けられている，ステップと，
　前記生体計測入力領域と前記第１のユーザの生体計測テンプレートとに基づいて，前記生体計測入力領域と前記第１のユーザの前記生体計測テンプレートとに関連付けられたセキュリティ特権を検索するステップであって，前記第１のユーザの前記生体計測テンプレートは前記第１のユーザの生体計測入力に関連付けられている，ステップと，
　前記生体計測入力領域と前記第１のユーザの前記生体計測テンプレートとに関連付けられた前記セキュリティ特権が発見された場合，前記生体計測入力領域に関連付けられた前記機能へのアクセスを許可するステップと，
　前記タッチスクリーンの前記位置において第２のユーザから生体計測入力領域選択入力を受信するステップと，
　前記生体計測入力領域と前記第２のユーザの生体計測テンプレートとに基づいて，前記生体計測入力領域と前記第２のユーザの前記生体計測テンプレートとに関連付けられたセキュリティ特権を検索するステップであって，前記第２のユーザの前記生体計測テンプレートは前記第２のユーザの生体計測入力に関連付けられている，ステップと，
　前記生体計測入力領域と前記第２のユーザの前記生体計測テンプレートとに関連付けられた前記セキュリティ特権が発見されなかった場合，前記生体計測入力領域に関連付けられた前記機能へのアクセスを禁止するステップと，
　を備えることを特徴とする方法。」
　
（相違点）
　一致点の「生体計測入力領域」が，本願発明１０では「アイコン」であり，また，「前記タッチスクリーンは前記タッチスクリーン上の様々な位置に配置される複数のアイコンを表示する」のに対し，引用発明では「領域ＣまたはＥ」であり，これらの領域は「メニューの指定を促す画面７９」に明示的に表示されるものではない点。
　
（２）相違点についての判断
　一般に，情報処理装置などの装置の画面上に表示される「アイコン」が，これに関連する機能（実行されるアプリなど）を示すのみならず，ユーザに対して入力位置を明示するために用いられることは技術常識である。
　しかしながら，引用発明の「領域ＣまたはＥ」は，「メニューの指定を促す画面７９」に明示的に表示されるものではないから，「ユーザに対して入力位置を明示する」ために用いられるものでないことは明らかであり，そのような「領域ＣまたはＥ」に替えて本願発明１０のような「アイコン」を用いること，及び，この「アイコン」をメニューの指定を促す画面７９上に表示させて本願発明１０のように「前記タッチスクリーンは前記タッチスクリーン上の様々な位置に配置される複数のアイコンを表示する」構成とすること，に合理的な理由はなく，たとえ引用文献２，３に記載されたように「メニューをアイコンで表示すること」自体が周知技術であるとしても，該周知技術に基づいて当業者が容易になし得たものということはできない。
　また，引用文献４記載技術に基づいて当業者が容易に想到し得たものでもない。
　
２．本願発明１−９，１１について
　本願発明１−９，１１も，本願発明１０の上記相違点に係る構成と同様の構成を備えるものであるから，本願発明１０と同じ理由により，当業者であっても引用発明，上記周知技術及び引用文献４記載技術に基づいて当業者が容易に発明できたものであるとはいえない。
　
第６　むすび
　以上のとおり，本願発明１−１１は，当業者が引用発明，引用文献２，３に記載された周知技術及び引用文献４に記載された技術に基づいて容易に発明をすることができたものではない。したがって，原査定の理由によっては，本願を拒絶することはできない。
　また，他に本願を拒絶すべき理由を発見しない。
　よって，結論のとおり審決する。